(57)【要約】【課題】  本発明は、上下の両型体を脱着することによってその使用性を広げるとともに、不使用時には洗浄や収納等が円滑にできる利便性のある焼き菓子製作器を提供する。【解決手段】  全体の外形状及び焼き凹型部２，２，２’，２’がそれぞれ同一に成る上型体１及び下型体１０の一端部に連結部材を適当間隔をおいて設け、上型体の連結部材３，３の端部には上型体の側縁部と平行に同一方向に突杆４，４を突設し、この突杆には基壁部５，５と少許間隔をおいて隔壁部７，７とを設け、また前記突杆の方向にガイド片８，８を凹溝９，９を隣接して設け、前記下型体の連結部材１１，１１の端部には凹形部をそれぞれ設けるとともにこの凹形部にはその上下位置を異にして被套部を設け、この左右の連結部材の前記凹形部には被套部を介して前記上型体の連結部材に突設した突杆を嵌挿しかつ回動し得るようにするとともに着脱し得るようにして成る。【選択図】    図２
2012157424.tif 000002
【特許請求の範囲】
【請求項１】
全体の外形状及び焼き凹型部がそれぞれ同一に成る上型体及び下型体の一端部に連結部材を適当間隔をおいて設け、この上下両型体の連結部材を着脱し得るように設けて成ることを特徴とする型焼き菓子製作器。
【請求項２】
全体の外形状及び焼き凹型部がそれぞれ同一に成る上型体及び下型体の一端部に連結部材を適当間隔をおいて設け、上型体の連結部材の端部には上型体の側縁部と平行に同一方向に突杆を突設し、この突杆には基壁部と少許間隔をおいて隔壁部とを設け、また前記突杆の方向にガイド片を凹溝を隣接して設け、前記下型体の連結部材の端部には凹形部をそれぞれ設けるとともにこの凹形部にはその上下位置を異にして被套部を設け、この左右の連結部材の前記凹形部には被套部を介して前記上型体の連結部材に突設した突杆を嵌挿しかつ回動し得るようにするとともに着脱し得るようにして成ることを特徴とする型焼き菓子製作器。
【請求項３】
下型体の焼き凹型部に具材注入用の開口部を有する柄付きガイド板を用意して成る請求項１又は請求項２に記載した型焼き菓子製作器。
【発明の詳細な説明】
【技術分野】
【０００１】
本発明は、食材生地の内部に餡などの具材を包み込んで焼き上げるたい焼き，もみじ焼き等の型焼き菓子の製作器具に関するものである。
【背景技術】
【０００２】
型焼き菓子の一種であるたい焼きの製作装置としては、下記に示す３件の特許文献が開示されているところ、いずれも上下両金型の一端部を蝶番部によって開閉し得るように連結しているものであるため、使用時にも不使用時にも常に一体となっている。
【０００３】
しかし、このような一体型にあっては、不使用時の洗浄や収納には不便なものとなっていたし、また上下一方の金型のみを使用して焼き菓子を作りたい場合もあるのに、それができなかった。
【０００４】
また、餡部分を食材生地に注入するときには全体に均一に行きわたることが、確実かつ奇麗に行われるとは限らないものであったし、また餡のみならず、各種の具材を使用して焼き菓子を作ることは想定されていないものであった。
【先行技術文献】
【特許文献】
【０００５】
【特許文献１】特許第３７４１９０６号公報
【特許文献２】特許第４１８７２２１号公報
【特許文献３】特許第４３３８５０２号公報
【発明の概要】
【発明が解決しようとする課題】
【０００６】
そこで、本発明は、上下の両型体を脱着することによってその使用性を広げるとともに、不使用時には洗浄や収納等が円滑にできる利便性のある焼き菓子製作器を提供することを目的とするものである。
【課題を解決するための手段】
【０００７】
本発明は、全体の外形状及び焼き凹型部がそれぞれ同一に成る上型体及び下型体の一端部に連結部材を適当間隔をおいて設け、上型体の連結部材の端部には上型体の側縁部と平行に同一方向に突杆を突設し、この突杆には基壁部と少許間隔をおいて隔壁部とを設け、また前記突杆の方向にガイド片を凹溝を隣接して設け、前記下型体の連結部材の端部には凹形部をそれぞれ設けるとともにこの凹形部にはその上下位置を異にして被套部を設け、この左右の連結部材の前記凹形部には被套部を介して前記上型体の連結部材に突設した突杆を嵌挿しかつ回動し得るようにするとともに着脱し得るようにして成るものである。
【０００８】
また、下型体の焼き凹型部に具材注入用の開口部を有する柄付きガイド板を用意するものである。
【発明の効果】
【０００９】
本発明の型焼き菓子製作器にあっては、上下の合わせ金型（蓋体と本体）が、両者の連結部材を介して回動し得るようになるから、たい焼きその他の型焼き菓子の製作のための使用を全く支障なく確実に行うことができるのは勿論、前記両者の連結部材が脱着し得るようになるから、不使用時にはこの両者の連結部材の結合関係を分離しておくことができ、したがって上下各型体の洗浄時や収納時にきわめて利便性がよいものとなる。
【００１０】
使用時に下型体の焼き凹型部に所定の食材を注入した後に、具材となる餡を均一に供給するために、柄付きガイド板を下型体上に被嵌し、その各開口部に餡を注入すると、たい焼きの場合は、生地となる食材全体の中に餡を均一に収容することができるようになる。
【００１１】
本型焼き菓子製作器を使用すれば、餡入りのたい焼きのみならず、コーン・ベーコン入り、ウィンナー・チーズ入りのたい焼きができるのみならず、オムライス、焼きおにぎり、お好み焼き、ゼリーなどの製作も可能となり、汎用性のある製作器となっている。
【図面の簡単な説明】
【００１２】
【図１】全体の閉口時の斜視図
【図２】全体の開口時の斜視図
【図３】全体の使用時の斜視図
【図４】上下両型体の外内部分を示した平面図
【図５】（ａ）は図４Ａ−Ａ線の断面図、（ｂ）は図４Ｂ−Ｂ線の断面図
【発明を実施するための形態】
【００１３】
本体となる下型体と蓋体となる上型体の外形状と焼き凹型部とは、ともに同一かつ対称的に形成されているものであるから、焼き上げ中は合体状態にある。
【００１４】
焼き上げ終了後は、この上下両型体の合体関係を各端部の連結部材における結合関係を離脱して両型を分離状態におく。
【００１５】
また、餡のような具材を供給するたい焼きの場合は、下型体の各焼き凹型部に食材生地を注入した後、柄付きガイド板を把持してその周囲の曲折周縁部を下型体の鍔縁部に嵌合し、このガイド板の内部の各開口部に具材を注入すれば、具材は下型体の各焼き凹型部上の食材生地面にほぼ合った広さに均一に収容されるようになる。
【実施例】
【００１６】
図面に基いて本発明の実施例を以下説明するが、この中で上型体と下型体とに全体を分けているところ、上型体は別名を蓋体、下型体は別名を本体と呼んでもよい。しかし、その機能は全く同一である。
【００１７】
１は上型体で、この上型体はアルミ鋳製であり、この内側部には鯛などの任意形態の焼き凹型部２，２を形成している。
【００１８】
３，３は前記上型体１の一端部に適当間隔をおいて突設した連結部材で、この両連結部材は端部に前記上型体の側縁部と平行に同一方向に突杆４，４を突設し、この突杆には基壁部５，５と少許間隔６，６おいて隔壁部７，７とを設けている。
【００１９】
８，８は前記上型体１の連結部材３，３の基部の内端部に前記突杆４，４の方向に設けたガイド片で、このガイド片に隣接して凹溝９，９を設ける。
【００２０】
１０は前記上型体１と同一の外形及び凹型部２’，２’の形態に成る下型体で、この下型体の一端部には間隔をおいて連結部材１１，１１を突設し、この連結部材の端部には凹形部１２，１２をそれぞれ設けるとともにこの凹形部にはその位置と長さを異にした被套部１３，１３’，１３，１３’を形成している。そして、この左右の連結部材１１，１１の凹形部１２，１２には、その被套部１３，１３’，１３，１３’を介して前記上型体１の連結部材３，３に突設した前記突杆４，４が嵌挿しかつ回動し得るように成る。
【００２１】
したがって、この上型体１の連結部材３，３の突杆４，４は下型体１０の連結部材１１，１１の凹形部１２，１２との間に着脱し得るから、上型体１の突杆４，４は下型体１０の凹形部１２，１２との間に両型の柄部１４，１５を把持して回動する途中でその係合が抜るようになり、また係合時には回動途中で係合抑止されるようになる。
【００２２】
１６，１６は前記上型体１及び下型体１０の外側面部に一体に接着している金属板で、この金属板を介して上型体１及び下型体１０への熱伝導がなされるが、金属板はステンレス鋼材である。この金属板１６，１６は、前記上型体，下型体の外側面部に合体するように接着する。
【００２３】
１７は前記下型体１０の外周縁部に形成した鍔縁部で、この鍔縁部には前記下型体１０の焼き凹型部２’，２’への食材生地の注入時には、焼き凹型部２’，２’と同形状の開口部１８，１８を有するとともに曲折周縁部１９を設けて成る柄付きガイド板２０を用意する。
【００２４】
したがって、使用時にはこのガイド板２０の曲折周縁部１９は、前記下型体１０の鍔縁部１７に嵌合する状態になるから、これによって食材生地を下型体１０の焼き凹型部２’，２’に注入した後、この食材生地上に餡などの具材を均一に収容するようにする。（図３参照）
【符号の説明】
【００２５】
１                            上型体
２，２                        焼き凹型部
３，３                        連結部材
４，４                        突杆
５，５                        基壁部
６，６                        少許間隔
７，７                        隔壁部
８，８                        ガイド片
９，９                        凹溝
１０                          下型体
１１，１１                    連結部材
２’，２’                    焼き凹型部
１２，１２                    凹形部
１３，１３，１３’，１３’    被套部
１４，１５                    柄部
１６，１６                    金属板
１７                          鍔縁部
１８，１８                    開口部
１９                          曲折周縁部
２０                          柄付きガイド板
【図１】
2012157424.tif 000003
【図２】
2012157424.tif 000004
【図３】
2012157424.tif 000005
【図４】
2012157424.tif 000006
【図５】
2012157424.tif 000007